(57)【要約】      （修正有）【課題】回転揺動機能を有するローラーエクササイズ装置を提供する。【解決手段】台座１０が備わり、台座は左右両側にそれぞれ、互いに対応したハンドル構造２０を有してなり、台座底面後端の左右両側にそれぞれ、前後方向に回転する二定方向ローラー３０が備わり、及び台座底面前端の中央部に、ユニバーサルローラー４０が設けられてなり、二定方向ローラーとユニバーサルローラーとを線でつなげば、二等辺三角形になることを特徴とするローラーエクササイズ装置であり、このような構造の組合せにより、初心者がローラーエクササイズ装置を利用して、バランスを崩して転倒したりすることを防ぐと同時に、技術に優れた者がユニバーサルローラーの両側に向けて、好きなようにストレッチしたりして、ローラーエクササイズ装置の付加価値を高めることができること、それに、ユニバーサルローラーの台座の移動方向を変えると、回転揺動の機能が働くことにより、ローラーエクササイズ装置の使用がよりうまく行われる。【選択図】図１
0003198626.tif 000002
【実用新案登録請求の範囲】
【請求項１】
台座１０が備わり、該台座１０は左右両側にそれぞれ、対称的に設けられたハンドル構造２０を有してなり、
前後方向に回転する二定方向ローラー３０が備わり、該二定方向ローラー３０はそれぞれ、台座１０底面後端の左右両側に設けられており、及び、
一ユニバーサルローラー４０が備わり、該ユニバーサルローラー４０は、台座１０底面前端の中央部に設けられ、該二定方向ローラー３０と該ユニバーサルローラー４０とを線でつなげば、二等辺三角形になるが、
上述した構造の組合せにより、初心者がローラーエクササイズ装置を利用して、バランスを崩して転倒したりすることを防ぐと同時に、技術に優れた者が該ユニバーサルローラー４０の両側に向けて、好きなようにストレッチしたりして、ローラーエクササイズ装置の付加価値を高めることができること、それに、該ユニバーサルローラー４０の台座１０の移動方向を変えると、回転揺動の機能が働くことにより、ローラーエクササイズ装置の使用がよりうまく行われることを特徴とするローラーエクササイズ装置。
【請求項２】
該ユニバーサルローラー４０は、台座１０底面に固定されている取付部４１、取付部４１に設けられている回転部４２、及び回転部４２に設けられている輪体４３を備えてなり、それによって、該輪体４３が取付部４１に対してユニバーサル回転するように設けられており、該回転部４２の回転軸線はローラーエクササイズ装置の接地面に対して後ろに傾斜して、挟み角θが設けられていることを特徴とする請求項１に記載のローラーエクササイズ装置。
【請求項３】
該台座１０の両側にはそれぞれ一差込孔１１が設けられ、該二差込孔１１の内壁にはそれぞれ少なくともの一嵌込孔１２があり、該二差込孔１１は台座１０軸線の両側に対して、相互に鏡面反射するように配置されており、各ハンドル構造２０は、ユーザが手で握って使用するためのハンドル部２１と差込部２２を備えてなり、該差込部２２は、それに対応した差込孔１１に差し込まれ、該差込部２２には少なくともの一弾性締結具２３があり、差込部２２がそれに対応した差込孔１１に差し込まれたとき、各弾性締結具２３はそれに対応した嵌込孔１２に嵌め込まれ、該ハンドル構造２０の位置を決めるように設けられていることを特徴とする請求項１、２または３に記載のローラーエクササイズ装置。
【請求項４】
該台座１０Ａの両側はそれぞれ、一ペアの第一貫通穴１３Ａがあり、各ハンドル構造２０Ａは、一ペアの第一貫通穴１３Ａに対応したところの間に形成され、台座１０Ａと一体化するように設けられていることを特徴とする請求項１、２または３に記載のローラーエクササイズ装置。
【請求項５】
該台座１０Ｂの両側はそれぞれ、一第二貫通穴１３Ｂがあり、各ハンドル構造２０Ｂは、該台座１０Ｂ及びそれに対応した第二貫通穴１３Ｂの側縁に設けられていることを特徴とする請求項１、２または３に記載のローラーエクササイズ装置。
【考案の詳細な説明】
【技術分野】
【０００１】
本考案は、ローラーエクササイズ装置に関わり、特に、回転揺動する機能を有するオリジナルな構造形態に関する。
【背景技術】
【０００２】
完璧なボディラインと堅実な腹筋を持つのは、多くの人が羨ましがり、それを求めている目標であり、特に、体を鍛えて、Ｖ字腹筋や、腹筋を割ることを得ようとする男女の望むことであり、市場には、腹筋の鍛え方に重点を置いたエクササイズグッズが次々と現れ、その中、手頃で構造も簡単、かつ、使いやすいグッズが、エクササイズローラーである。
【０００３】
従来のエクササイズローラーは通常、ローラー、及びローラーを貫通して、水平方向に設けられた握りバーを備えてなり、該ローラーは握りバーに対して、回転するように設けられており、使用の時、ユーザはまず、床に膝をつけて、両手で握りバーの両端を握り、手に合わせて、腹筋の力によって、体を一直線にするように、床でローラーを転がし戻して、腹筋を鍛えるように設けられており、両腕の力を入れた違いによって、更に、両側に転がして伸ばして、身体の各部位の筋肉を鍛えることができる。このようなエクササイズローラーは上述したメリットがあるが、実際使用の時、最も指摘された欠点といえば、バランスを取るのが困難なことであり、一般の初心者にとって、エクササイズローラーを一直線に転がすのが困難であるうえに、左右に伸ばしたりするのも更に困難になり、操作の中の不注意で、バランスを崩して、ローラーから転倒したりして、腕の筋肉断裂になる恐れがある。
【０００４】
それで、ローラーエクササイズ装置の主軸に、互いに平行に設けられた複数の輪体が設けられ、輪体を転がし戻している間、簡単にバランスを取るように設けられるというエクササイズグッズも開発されており、それは、エクササイズローラーの初心者にとって使いやすいグッズだが、技術に優れた使用者にとっては、複数の輪体が同時に転がして生じた摩擦力が増したため、上述したように、左右に伸ばして鍛える使い方が出来なくなる。そうなると、両者を同時に満足させることができず、エクササイズローラーの使用者に限られ、運動器具業者の利益にマイナスな影響を及ぼしてしまう。
【０００５】
それゆえ、上述したように従来の構造に存在した問題点について、使用者それぞれの要求に応え、より理想的で実用性のあるオリジナルな構造を開発するのが、使用者の望むことであり、関連業者が努力して、開発していく目標と方向でもある。
【０００６】
それを鑑みて、考案者は関連製品の製造開発及び設計に携わる長年の経験を持っており、上述した目標について、詳しく設計、慎重に評価したうえ、ようやく実用性のある本考案を得られたわけである。
【考案の概要】
【考案が解決しようとする課題】
【０００７】
本考案は、ローラーエクササイズ装置の解決しようとする技術課題を提供することを目的とし、より理想的で実用性のある回転揺動機能を有するオリジナルな構造形態を開発することにある。
【課題を解決するための手段】
【０００８】
本考案の課題を解決するための技術特徴として、台座が備わり、該台座は左右両側にそれぞれ、互いに対応したハンドル構造を有してなり、台座底面後端の左右両側にそれぞれ、前後方向に回転する一定方向ローラーが備わり、及び台座底面前端の中央部に、一ユニバーサルローラーが設けられてなり、該二定方向ローラーと該ユニバーサルローラーとを線でつなげば、二等辺三角形になることを特徴とする該ローラーエクササイズ装置。
【０００９】
このようなオリジナルな構造設計による本考案は背景技術に対して、初心者がローラーエクササイズ装置を利用して、バランスを崩して転倒したりすることを防ぐと同時に、技術に優れた者が該ユニバーサルローラーの両側に向けて、好きなようにストレッチしたりして、ローラーエクササイズ装置の付加価値を高めることができること、それに、該ユニバーサルローラーの台座の移動方向を変えると、回転揺動の機能が働くことにより、ローラーエクササイズ装置の使用がよりうまく行われ、実用性、進歩性及び産業上の利用可能性を備えている。
【考案の効果】
【００１０】
本考案に掲示された「ローラーエクササイズ装置」では、該ユニバーサルローラーのオリジナルな取付方法による本考案は背景技術に述べられた従来のローラーエクササイズ装置の構造に対して、うまく方向回転を行われ、バランスよく行われ、使用範囲が広くなるという実用性、進歩性があること。
【図面の簡単な説明】
【００１１】
【図１】本考案の立体外観図。
【図２】本考案の立体外観図。
【図３】本考案の移動方向を変えた場合の連続動作イメージ。
【図４】本考案の移動方向を変えた場合の連続動作イメージ。
【図５】本考案の移動方向を変えた場合の連続動作イメージ。
【図６】本考案の台座の第二実施例の正面図。
【図７】本考案の台座の第三実施例の正面図。
【考案を実施するための形態】
【００１２】
図１、図２に示すのは、本考案のローラーエクササイズ装置の好適な実施例だが、これらの実施例は説明のみに用いられ、実用新案登録請求の際、それらの構造に制限されないものとする。台座１０が備わり、該台座１０は左右両側にそれぞれ、対称的に設けられたハンドル構造２０を有してなり、台座１０底面後端の左右両側に、それぞれ前後方向に回転する一定方向ローラー３０が備わり、及び台座１０底面前端の中央部に設けられた一ユニバーサルローラー４０が備わり、該二定方向ローラー３０と該ユニバーサルローラー４０とを線でつなげば、二等辺三角形になることを特徴とする該ローラーエクササイズ装置。
【００１３】
該台座１０の両側にはそれぞれ一差込孔１１が設けられ、該二差込孔１１の内壁にはそれぞれ少なくともの一嵌込孔１２があり、該二差込孔１１は台座１０軸線の両側に対して、相互に鏡面反射するように配置されている。
【００１４】
各ハンドル構造２０は、ユーザが手で握って使用するためのハンドル部２１と差込部２２を備えてなり、該差込部２２は、それに対応した差込孔１１に差し込まれ、該差込部２２には少なくともの一弾性締結具２３があり、差込部２２がそれに対応した差込孔１１に差し込まれたとき、各弾性締結具２３はそれに対応した嵌込孔１２に嵌め込まれ、該ハンドル構造２０の位置を決めるように設けられ、それよって、使用の時、ハンドル構造２０が台座１０から取れないように設けられている。
【００１５】
図６に示すのは、本考案の第二実施形態であり、該台座１０Ａの両側はそれぞれ、一ペアの第一貫通穴１３Ａがあり、各ハンドル構造２０Ａは、一ペアの第一貫通穴１３Ａに対応したところの間に形成され、台座１０Ａと一体化するように設けられており、図７に示すのは、本考案の第三実施形態であり、該台座１０Ｂの両側はそれぞれ、一第二貫通穴１３Ｂがあり、各ハンドル構造２０Ｂは、該台座１０Ｂ及びそれに対応した第二貫通穴１３Ｂの側縁に設けられている。
【００１６】
図２に示すように、該ユニバーサルローラー４０は、台座１０底面に固定されている取付部４１、取付部４１に設けられている回転部４２、及び回転部４２に設けられている輪体４３を備えてなり、該輪体４３が取付部４１に対してユニバーサル回転するように設けられており、本考案の好適な実施例では、該台座１０の前端は、ユニバーサルローラー４０の上部に支えられ、上に向かって上がるように設けられ、該回転部４２の回転軸線は台座１０の基準面に対して後ろに傾斜し、それによって、該回転部４２の回転軸線はローラーエクササイズ装置の接地面に対して斜めに傾斜して、挟み角θが設けられ、該挟み角θの数値は、５度から１５度までの間に設けられている。
【００１７】
上述した構造、組合せ設計により、本考案の使用作動は次のように説明するが、図３〜図５に示すように、使用者は本考案を利用して、エクササイズを行うとき、まず、床に膝をつけ、または足指を床につけ、体を支えながら、両手でハンドル構造２０をそれぞれしっかりと握り、ユニバーサルローラー４０を前に向けて転がすと、台座１０を平行に転がし戻して、運動、エクササイズによる筋肉鍛えを行うことになっている。まず、本考案の先端部にあるユニバーサルローラー４０における回転部４２の回転軸線は台座１０の基準面との間に、５度から１５度までの挟み角が生じられ、そこで、本考案の移動方向を変えると（前から後へ／後から前へ、特に前から後にする場合）、輪体４３が回転揺動し、ローラーエクササイズ装置の使用がよりうまく、かつ即時に移動方向を変えて行われるようになること、そして、本考案の定方向ローラー３０とユニバーサルローラー４０との相対位置をは、同一直線上にない三点に設けられ、台座１０を支えられる擬似的な平面になっており、それによって、初心者でも、バランスを崩したりする心配せず、本考案を気軽に利用して、腹筋を鍛えることができること、その上、本考案のユニバーサルローラー４０が台座１０の先端部に設けられているから、技術に優れた使用者が該ユニバーサルローラー４０を使用している間、いつでも、台座１０の移動方向を、左へ、または右へと変えたりして、直線または非直線に移動することができ、従来のような使用方法、即ちローラーエクササイズ装置を前後に一直線に移動させることをしなくても行われ、体の各部位の筋肉を鍛えることができ、ローラーエクササイズ装置による運動効果、価値を高めることができること。
【００１８】
なお、本考案は上述した使用方法のほかに、使用者が台座１０／１０Ａ／１０Ｂの上に乗り、足の裏を床につけ、同じく両手で、それに対応したハンドル構造２０をそれぞれ握り、本考案を利用して、両足の力で、お尻を揺らして、下半身の筋肉を鍛えることもできる。
【００１９】
上述の実施例に掲げたのは、本考案を具体的に説明するための内容であり、文中で専門用語を使用して説明してきたが、それらによって本考案の実用新案登録請求の範囲を制限してはならず、この技術分野が分かる者は、本考案のコンセプトや考えなどを理解して、その改造や変更などを行って同等な目的を得たとしても、それらの改造や変更などはすべて後述の請求の範囲に含まれるものである。
【符号の説明】
【００２０】
１０，１０Ａ，１０Ｂ      台座
１１      差込孔
１２      嵌込孔
１３Ａ      第一貫通穴
１３Ｂ      第二貫通穴
２０，２０Ａ，２０Ｂ      ハンドル構造
２１      ハンドル部
２２      差込部
２３      弾性締結具
３０      定方向ローラー
４０      ユニバーサルローラー
４１      取付部
４２      回転部
４３      輪体
θ        挟み角
【図１】
0003198626.tif 000003
【図２】
0003198626.tif 000004
【図３】
0003198626.tif 000005
【図４】
0003198626.tif 000006
【図５】
0003198626.tif 000007
【図６】
0003198626.tif 000008
【図７】
0003198626.tif 000009
【手続補正書】
【提出日】平成27年5月8日(2015.5.8)
【手続補正１】
【補正対象書類名】実用新案登録請求の範囲
【補正対象項目名】全文
【補正方法】変更
【補正の内容】
【実用新案登録請求の範囲】
【請求項１】
台座（１０）が備わり、該台座（１０）は左右両側にそれぞれ、対称的に設けられたハンドル構造（２０）を有してなり、
前後方向に回転する二定方向ローラ（３０）が備わり、該二定方向ローラ（３０）はそれぞれ、台座（１０）底面後端の左右両側に設けられており、及び、
一ユニバーサルローラー（４０）が備わり、該ユニバーサルローラー（４０）は、台座（１０）底面前端の中央部に設けられ、該二定方向ローラ（３０）と該ユニバーサルローラー（４０）とを線でつながば、二等辺三角形になるが、
上述した構造の組合せにより、初心者がローラーエクササイズ装置を利用して、バランスを崩して転倒したりすることを防ぐと同時に、技術に優れた者が該ユニバーサルローラー（４０）の両側に向けて、好きなようなストレッチしたりして、ローラーエクササイズ装置の付加価値を高めることができること、それに、該ユニバーサルローラー（４０）の台座（１０）の移動方向を変えると、回転揺動の機能が働くことにより、ローラーエクササイズ装置の使用がよりうまく行われることを特徴とするローラーエクササイズ装置。
【請求項２】
該ユニバーサルローラー（４０）は、台座（１０）底面に固定されている取付部（４１）、取付部（４１）に設けられている回転部（４２）、及び回転部（４２）に設けられている輪体（４３）を備えてなり、それによって、該輪体（４３）が取付部（４１）に対してユニバーサル回転するように設けられており、該回転部（４２）の回転軸線はローラーエクササイズ装置の接地面に対して後ろに傾斜して、挟み角（θ）が設けられていることを特徴とする請求項１に記載のローラーエクササイズ装置。
【請求項３】
該台座（１０）の両側にはそれぞれ一差込孔（１１）が設けられ、該二差込孔（１１）の内壁にはそれぞれ少なくともの一嵌込孔（１２）があり、該二差込孔（１１）は台座（１０）軸線の両側に対して、相互に鏡面反射するように配置されており、各ハンドル構造（２０）は、ユーザが手で握って使用するためのハンドル部（２１）と差込部（２２）を備えてなり、該差込部（２２）は、それに対応した差込孔（１１）に差し込まれ、該差込部（２２）には少なくともの一弾性締結具（２３）があり、差込部（２２）がそれに対した差込孔（１１）に差し込まれたとき、各弾性締結具（２３）はそれに対応した嵌込孔（１２）に嵌めこまれ、該ハンドル構造（２０）の位置を決めるように設けられていることを特徴とする請求項１または２に記載のローラーエクササイズ装置。
【請求項４】
該台座（１０Ａ）の両側はそれぞれ、一ペアの第一貫通孔（１３Ａ）があり、各ハンドル構造（２０Ａ）は、一ペアの第一貫通孔（１３Ａ）に対応したところの間に形成され、台座（１０Ａ）と一体化するように設けられていることを特徴とする請求項１、２または３に記載のローラーエクササイズ装置。
【請求項５】
該台座（１０Ｂ）の両側はそれぞれ、一第二貫通孔（１３Ｂ）があり、各ハンドル構造（２０Ｂ）は、該台座（１０Ｂ）及びそれに対応した第二貫通孔（１３Ｂ）の側縁に設けられていることを特徴とする請求項１、２または３に記載のローラーエクササイズ装置。